(57)【要約】      （修正有）【課題】移動局からの上りリンク送信データ又は移動局への下りリンク送信データが存在しない場合であっても、基地局からＴＰＣコマンドを送信することにより、上りリンクの送信電力を適切に制御する。【解決手段】基地局は、移動局ＵＥに送信した送信電力制御コマンドの累積値を保持する累積値保持部１０５と、上りリンクの送信電力が初期化された場合、前記累積値保持部１０５で保持された累積値に基づいて送信電力制御コマンドを決定する送信電力制御コマンド決定部１２５と、前記送信電力制御コマンド決定部１２５で決定された送信電力制御コマンドを制御チャネルで前記移動局に送信する制御チャネル送信部１２７とを有する。【選択図】図４
2014049841.tif 000002
【特許請求の範囲】
【請求項１】
移動局に送信した送信電力制御コマンドの累積値を保持する累積値保持部と、
上りリンクの送信電力が初期化された場合、前記累積値保持部で保持された累積値に基づいて送信電力制御コマンドを決定する送信電力制御コマンド決定部と、
前記送信電力制御コマンド決定部で決定された送信電力制御コマンドを制御チャネルで前記移動局に送信する制御チャネル送信部と、
を有する基地局。
【請求項２】
上りリンクの送信電力が初期化された場合、前記累積値保持部で保持された累積値に基づく送信電力制御コマンドを送信する区間を算出する区間算出部を更に有する、請求項１に記載の基地局。
【請求項３】
前記送信電力制御コマンド決定部は、前記累積値保持部で保持された累積値が正である場合、送信電力制御コマンドの値として、送信電力を最大限増加させる値を算出し、前記累積値保持部で保持された累積値が負である場合、送信電力制御コマンドの値として、送信電力を最大限減少させる値を算出し、
前記区間算出部は、前記累積値保持部で保持された累積値を、前記送信電力制御コマンド決定部で算出された送信電力制御コマンドの増減値で除算することにより、送信電力制御コマンドを送信する区間を算出する、請求項２に記載の基地局。
【請求項４】
前記区間算出部は、前記累積値保持部で保持された累積値に応じて予め決められた区間に基づいて、送信電力制御コマンドを送信する区間を算出する、請求項２に記載の基地局。
【請求項５】
前記送信電力制御コマンド決定部で決定された送信電力制御コマンドの累積値を保持する初期化後累積値保持部と、
前記送信電力制御コマンド決定部は、前記累積値保持部で保持された送信電力制御コマンドの累積値と、前記初期化後累積値保持部で保持された送信電力制御コマンドの累積値との差に基づいて、送信電力制御コマンドを決定する、請求項１に記載の基地局。
【請求項６】
下りリンクのデータ又は上りリンクのデータが送信されない無通信区間を監視する無通信区間監視部を更に有し、
前記制御チャネル送信部は、前記無通信区間監視部で監視された無通信区間が所定値以上である場合、移動局からデータ又は制御情報を送信させるための制御情報を送信する、請求項１乃至５のうちいずれか１項に記載の基地局。
【請求項７】
下りリンクのデータ又は上りリンクのデータが送信されない無通信区間を監視する無通信区間監視部と、
前記無通信区間監視部で監視された無通信区間が所定値以上である場合、移動局からデータ又は制御情報を送信させるための制御情報を送信する制御チャネル送信部と、
前記移動局から受信したデータ又は制御情報の受信品質に基づいて送信電力制御コマンドを決定する送信電力制御コマンド決定部と、
を有する基地局。
【請求項８】
基地局における上りリンクの送信電力制御方法であって、
移動局に送信した送信電力制御コマンドの累積値を保持するステップと、
上りリンクの送信電力が初期化された場合、保持された累積値に基づいて送信電力制御コマンドを決定するステップと、
決定された送信電力制御コマンドを制御チャネルで前記移動局に送信するステップと、
を有する送信電力制御方法。
【請求項９】
基地局における上りリンクの送信電力制御方法であって、
下りリンクのデータ又は上りリンクのデータが送信されない無通信区間を監視するステップと、
監視された無通信区間が所定値以上である場合、移動局からデータ又は制御情報を送信させるための制御情報を送信するステップと、
前記移動局から受信したデータ又は制御情報の受信品質に基づいて送信電力制御コマンドを決定するステップと、
を有する送信電力制御方法。
【発明の詳細な説明】
【技術分野】
【０００１】
本発明は、基地局及び送信電力制御方法に関する。
【背景技術】
【０００２】
LTE（Long Term Evolution）方式の移動通信システムでは、移動局（UE：User Equipment）は、基地局（eNB：evolved Node B）からの送信電力制御（TPC：Transmission Power Control）コマンドに従って、物理上りリンク共有チャネル（PUSCH：Physical Uplink Shared Channel）又は物理上りリンク制御チャネル（PUCCH：Physical Uplink Control Channel）の送信電力を制御する。
【０００３】
基地局は、移動局からの上りリンク送信データが残っていることを示すバッファステータスレポート（Buffer status report）を移動局から受信した場合等に、基地局のスケジューラによって移動局にPUSCH送信を割り当て、物理下りリンク制御チャネル（PDCCH：Physical Downlink Control Channel）で上りリンクスケジューリンググラント（UL scheduling grant）を送信する。この上りリンクスケジューリンググラントと共に、PUSCHのTPCコマンドが送信される。PUSCHのTPCコマンドは、TS36.213のTable 5.1.1.1-2及びTable 5.1.1.1-3に規定されている（非特許文献１参照）。
【０００４】
また、基地局は、移動局への下りリンク送信データが存在する場合、基地局のスケジューラによって移動局に物理下りリンク共有チャネル（PDSCH：Physical Downlink Shared Channel）送信を割り当て、PDCCHで下りリンクスケジューリング情報（DL scheduling information）を送信する。この下りリンクスケジューリング情報と共に、PUCCHのTPCコマンドが送信される。PUCCHのTPCコマンドは、TS36.213のTable 5.1.2.1-1及びTable 5.1.2.1-1に規定されている（非特許文献１参照）。
【先行技術文献】
【非特許文献】
【０００５】
【非特許文献１】3GPP TS 36.213 V10.6.0 (2012-06)
【発明の概要】
【発明が解決しようとする課題】
【０００６】
上記のように、PUSCHのTPCコマンドは、移動局からの上りリンク送信データが存在する場合に送信される。従って、移動局からの上りリンク送信データが存在せず、PUSCHが割り当てられない場合、PUSCHのTPCコマンドは送信されない。
【０００７】
また、PUCCHのTPCコマンドは、移動局へ下りリンク送信データが存在する場合に送信される。従って、移動局への下りリンク送信データが存在せず、PDSCHが割り当てられない場合、PUCCHのTPCコマンドは送信されない。
【０００８】
このため、移動局からの上りリンク送信データが存在しない期間が続くと、PUSCHのTPCコマンドが送信されないことにより、伝搬状況の変動に追従できなくなる。同様に、移動局への下りリンク送信データが存在しない期間が続くと、PUCCHのTPCコマンドが送信されないことにより、伝搬状況の変動に追従できなくなる。
【０００９】
また、例えば、基地局においてオペレータの入力等によってリコンフィグレーション（Reconfiguration）等が実施された場合又は移動局がランダムアクセスを開始する場合、上りリンクの送信電力が初期化される。このような場合には、上りリンクの送信電力が一時的に伝搬状況から大きく乖離し、伝搬状況に追従するまでに時間がかかり、その間の通信品質が劣化する。PUSCHの通信品質が劣化した場合、制御信号（C-plane）の送信が失敗したり、データ（U-plane）のスループットが低下したりする可能性がある。PUCCHの通信品質が劣化した場合、PDSCH用の制御情報（ACK、NACK、CQI（Channel Quality Indicator）、RI（Rank Information）等）の送信が失敗し、その結果、スループットが低下する可能性がある。例えば、初期化された上りリンクの送信電力に対して上りリンクの干渉電力が高い場合、通信品質が劣化し、初期化された上りリンクの送信電力に対して上りリンクの干渉電力が低い場合、他の移動局に対して過剰に干渉電力を与える。
【００１０】
本発明は、移動局からの上りリンク送信データ又は移動局への下りリンク送信データが存在しない場合であっても、基地局からTPCコマンドを送信することにより、上りリンクの送信電力を適切に制御することを目的とする。
【課題を解決するための手段】
【００１１】
本発明の一形態による基地局は、
移動局に送信した送信電力制御コマンドの累積値を保持する累積値保持部と、
上りリンクの送信電力が初期化された場合、前記累積値保持部で保持された累積値に基づいて送信電力制御コマンドを決定する送信電力制御コマンド決定部と、
前記送信電力制御コマンド決定部で決定された送信電力制御コマンドを制御チャネルで前記移動局に送信する制御チャネル送信部と、
を有することを特徴とする。
【００１２】
本発明の一形態による基地局は、
下りリンクのデータ又は上りリンクのデータが送信されない無通信区間を監視する無通信区間監視部と、
前記無通信区間監視部で監視された無通信区間が所定値以上である場合、移動局からデータ又は制御情報を送信させるための制御情報を送信する制御チャネル送信部と、
前記移動局から受信したデータ又は制御情報の受信品質に基づいて送信電力制御コマンドを決定する送信電力制御コマンド決定部と、
を有することを特徴とする。
【００１３】
本発明の一形態による送信電力制御方法は、
基地局における上りリンクの送信電力制御方法であって、
移動局に送信した送信電力制御コマンドの累積値を保持するステップと、
上りリンクの送信電力が初期化された場合、保持された累積値に基づいて送信電力制御コマンドを決定するステップと、
決定された送信電力制御コマンドを制御チャネルで前記移動局に送信するステップと、
を有することを特徴とする。
【００１４】
本発明の一形態による送信電力制御方法は、
基地局における上りリンクの送信電力制御方法であって、
下りリンクのデータ又は上りリンクのデータが送信されない無通信区間を監視するステップと、
監視された無通信区間が所定値以上である場合、移動局からデータ又は制御情報を送信させるための制御情報を送信するステップと、
前記移動局から受信したデータ又は制御情報の受信品質に基づいて送信電力制御コマンドを決定するステップと、
を有することを特徴とする。
【発明の効果】
【００１５】
本発明によれば、移動局からの上りリンク送信データ又は移動局への下りリンク送信データが存在しない場合であっても、基地局が上りリンクの送信電力を制御し、通信品質を向上させることが可能になる。
【図面の簡単な説明】
【００１６】
【図１】本発明の実施例におけるPUSCHの送信電力制御を示す図
【図２】本発明の実施例におけるPUCCHの送信電力制御を示す図
【図３】LTE方式の通信システムにおける上りリンクの送信電力を示す図
【図４】本発明の実施例に係る基地局のブロック図
【図５】TPCコマンドの累積値とTPCコマンドを送信する補正区間との関係の例を示す図
【図６】本発明の実施例に係る送信電力制御方法のフローチャート（TPC制御初期化の場合）
【図７】本発明の実施例に係る送信電力制御方法のフローチャート（無通信区間が所定値以上になった場合）
【図８】本発明の変形例に係る基地局のブロック図
【図９】本発明の変形例に係る送信電力制御方法のフローチャート（TPC制御初期化の場合）
【図１０】LTE方式の移動通信システムにおける上りリンクの送信電力と本発明の実施例に係る移動局の上りリンクの送信電力との比較を示す図
【発明を実施するための形態】
【００１７】
以下、本発明の実施例について、図面を参照して説明する。
【００１８】
本発明の実施例では、基地局は、移動局に送信したTPCコマンドの累積値を保持する。そして、基地局は、上りリンクの送信電力が初期化された場合、保持された累積値に基づいてTPCコマンドを決定し、決定されたTPCコマンドを制御チャネルで移動局に送信する。
【００１９】
また、基地局は、下りリンクのデータ又は上りリンクのデータが送信されない無通信区間を監視し、監視された無通信区間が所定値以上である場合、移動局からデータ又は制御情報を送信させるための制御情報を送信できる。
【００２０】
このように、基地局は、上りリンクの送信電力が初期化された場合又は無通信区間が所定値以上である場合には、移動局からの上りリンク送信データ又は移動局への下りリンク送信データが存在しない場合であっても、基地局からTPCコマンドを送信する。
【００２１】
図１を参照して、本発明の実施例におけるPUSCHの送信電力制御について説明する。
【００２２】
LTE方式の移動通信ステムでは、基地局は、移動局からの上りリンク送信データが残っていることを示すバッファステータスレポートを移動局から受信した場合等に、基地局のスケジューラによって移動局にPUSCH送信を割り当て、PDCCHで上りリンクスケジューリンググラントを送信する。本発明の実施例では、移動局からの上りリンク送信データが存在しない場合であっても、上りリンクの送信電力が初期化された場合又は上りリンクのデータが送信されない無通信区間が所定値以上である場合、基地局は、PDCCHで上りリンクスケジューリンググラントを送信する（Ｓ１１）。この上りリンクスケジューリンググラントと共に、PUSCHのTPCコマンドが送信されてもよい。移動局は、TPCコマンドに従って送信電力を決定し、有効なデータが入っていないPUSCHを送信する（Ｓ１２）。このときのPUSCHには、予め決められたダミーのデータが入れられてもよい。基地局は、PUSCHが受信できなかった場合、物理HARQインジケータチャネル（PHICH：Physical Hybrid-ARQ Indicator Channel）等により再送を指示する（Ｓ１３）。
【００２３】
図１のステップＳ１１で送信されるPUSCHのTPCコマンドは、TS36.213のTable 5.1.1.1-2及びTable 5.1.1.1-3に規定されている。DCI format 0/3によれば、TPCコマンドは2ビットの値を取ることができる。TPCコマンドが0である場合、送信電力の増減値は-1dBであり、TPCコマンドが1である場合、送信電力の増減値は0dBであり、TPCコマンドが2である場合、送信電力の増減値は1dBであり、TPCコマンドが2である場合、送信電力の増減値は3dBである。また、DCI format 3Aによれば、TPCコマンドは1ビットの値を取ることができる。TPCコマンドが0である場合、送信電力の増減値は-1dBであり、TPCコマンドが1である場合、送信電力の増減値は1dBである。
【００２４】
次に、図２を参照して、本発明の実施例におけるPUCCHの送信電力制御について説明する。
【００２５】
LTE方式の移動通信ステムでは、基地局は、移動局への下りリンク送信データが存在する場合、基地局のスケジューラによって移動局にPDSCH送信を割り当て、PDCCHで下りリンクスケジューリング情報を送信する。本発明の実施例では、移動局への下りリンク送信データが存在しない場合であっても、上りリンクの送信電力が初期化された場合又は下りリンクのデータが送信されない無通信区間が所定値以上である場合、基地局は、PDCCHで下りリンクスケジューリング情報を送信する（Ｓ２１）。また、同じサブフレーム内で、移動局宛の有効なデータが入っていないPDSCHを送信してもよい。このときのPDSCHには、予め決められたダミーのデータが入れられてもよい。この下りリンクスケジューリング情報と共に、PUCCHのTPCコマンドが送信されてもよい。移動局は、TPCコマンドに従ってPDSCH用の制御情報（ACK/NACK）をPUCCHで送信する（Ｓ２２）。基地局は、必要に応じて、更にPDCCHで下りリンクスケジューリング情報を送信する（Ｓ２３）。
【００２６】
図２のステップＳ２１及びＳ２３で送信されるPUCCHのTPCコマンドは、TS36.213のTable 5.1.2.1-1及びTable 5.1.2.1-1に規定されている。DCI format 1A/1B/1D/1/2A/2B/2/3によれば、TPCコマンドは2ビットの値を取ることができる。TPCコマンドが0である場合、送信電力の増減値は-1dBであり、TPCコマンドが1である場合、送信電力の増減値は0dBであり、TPCコマンドが2である場合、送信電力の増減値は1dBであり、TPCコマンドが2である場合、送信電力の増減値は3dBである。また、DCI format 3Aによれば、TPCコマンドは1ビットの値を取ることができる。TPCコマンドが0である場合、送信電力の増減値は-1dBであり、TPCコマンドが1である場合、送信電力の増減値は1dBである。
【００２７】
このように、上りリンクの送信電力が初期化された場合又は無通信区間が所定値以上である場合にTPCコマンドを送信する基地局の構成及び動作について、以下に詳細に説明する。
【００２８】
＜基地局の構成＞
本発明の実施例に係る基地局について説明する前に、図３を参照して、LTE方式の移動通信システムにおける上りリンクの送信電力について説明する。
【００２９】
LTE方式の移動通信システムにおける上りリンクの送信電力は、上記の通り、基地局からのTPCコマンドに従って制御される。（Ａ）に示すように、上りリンクの干渉電力が高くなる場合、基地局はTPCコマンドを用いて、移動局の送信電力を増加させる。（Ｂ）の間に、移動局からの上りリンク送信データ又は移動局への下りリンク送信データが存在しないことを想定する。この場合、基地局からTPCコマンドは送信されないため、移動局の上り送信電力は変化しない。（Ｂ）の間に上りリンクの干渉電力は高くなっているため、移動局からの上りリンク送信データ又は移動局への下りリンク送信データが発生した場合、（Ｃ）において、基地局はTPCコマンドを用いて移動局の送信電力を増加させる。（Ｄ）において、（Ａ）と同様に、基地局はTPCコマンドを用いて、移動局の送信電力を増加させる。
【００３０】
（Ｅ）において、基地局の意図的なリコンフィグレーション又は移動局のランダムアクセスにより、上りリンクの送信電力はリセットされる。上りリンクの干渉電力が高い状態で上りリンクの送信電力がリセットされた場合、上りリンクの干渉電力に対して初期化された上りリンクの送信電力が低くなる。このため、（Ｆ）において、基地局はTPCコマンドを用いて、移動局の送信電力を増加させる。（Ｇ）に示すように、更に上りリンクの干渉電力が高くなる場合、基地局はTPCコマンドを用いて、移動局の送信電力を増加させる。一方、（Ｈ）に示すように、上りリンクの干渉電力が低くなる場合、基地局はTPCコマンドを用いて、移動局の送信電力を減少させる。（Ｉ）において、基地局のリコンフィグレーション又は移動局のランダムアクセスにより、上りリンクの送信電力はリセットされる。上りリンクの干渉電力が低い状態で上りリンクの送信電力がリセットされた場合、上りリンクの干渉電力に対して初期化された上りリンクの送信電力が高くなる。このため、（Ｊ）において、基地局はTPCコマンドを用いて、移動局の送信電力を減少させる。
【００３１】
本発明の実施例では、図３の（Ｂ）のように移動局からの上りリンク送信データ又は移動局への下りリンク送信データが存在しない場合、又は図３の（Ｅ）又は（Ｉ）のように上りリンクの送信電力がリセットされた場合に、物理上りリンク共有チャネルの送信電力及び物理上りリンク制御チャネルの送信電力制御する基地局について説明する。
【００３２】
図４に、本発明の実施例に係る基地局のブロック図を示す。本発明の実施例に係る基地局は、TPC制御初期化決定部１０１と、TPC制御初期化実施部１０３と、TPC累積値保持部１０５と、振り分け部１１１と、TPC制御初期化後TPCコマンド算出部１１３と、TPCコマンド算出部１１７と、制御チャネル送信部１２７とを有する。本発明の実施例に係る基地局は、TPC制御初期化後補正区間算出部１０７と、確認部１０９と、無通信区間監視部１２９とを有してもよい。
【００３３】
TPC制御初期化決定部１０１は、オペレータの入力等によってリコンフィグレーションが実施されたか又は移動局がランダムアクセスを開始したかを検出し、上りリンクの送信電力を初期化するか否かを決定する。
【００３４】
TPC制御初期化実施部１０３は、TPC制御初期化決定部１０１で上りリンクの送信電力の初期化が決定された場合、上りリンクの送信電力を予め設定された初期値に設定する。以下では、上りリンクの送信電力を初期化することをTPC制御初期化と呼ぶ。
【００３５】
TPC累積値保持部１０５は、移動局に送信したTPCコマンドの累積値を保持する。例えば、TPC累積値保持部１０５は、DCI format 0/3又はDCI format 1A/1B/1D/1/2A/2B/2/3を用いて移動局に送信した送信電力の増減値（-1dB〜3dB）の累積値を保持してもよく、DCI format 3Aを用いて移動局に送信した送信電力の増減値（-1dB又は1dB）の累積値を保持してもよい。
【００３６】
TPC制御初期化後補正区間算出部１０７は、上りリンクの送信電力が初期化された場合、TPC累積値保持部１０５で保持された累積値に基づいてTPCコマンドを送信する区間を算出する。以下では、上りリンクの送信電力が初期化された場合に移動局に連続して又は高頻度にTPCコマンドを送信する区間を補正区間と呼ぶ。「連続して」とは、例えば連続するサブフレームを意味し、「高頻度に」とは、例えば無線リソースが許す限り連続するサブフレームを意味する。
【００３７】
例えば、TPC制御初期化後補正区間算出部１０７は、TPC累積値保持部１０５で保持された累積値に応じて予め決められた区間を、TPCコマンドを送信する補正区間としてもよい。図５に、TPCコマンドの累積値とTPCコマンドを送信する補正区間との関係の例を示す。例えば、TPCコマンドの累積値が-10より下である場合、TPCコマンドを送信する補正区間は10サブフレームとしてもよく、TPCコマンドの累積値が0〜-10である場合、TPCコマンドを送信する補正区間は5サブフレームとしてもよく、TPCコマンドの累積値+10〜0である場合、TPCコマンドを送信する補正区間は3サブフレームとしてもよく、TPCコマンドの累積値+20〜+10である場合、TPCコマンドを送信する補正区間は5サブフレームとしてもよく、TPCコマンドの累積値+30より上である場合、TPCコマンドを送信する補正区間は10サブフレームとしてもよい。
【００３８】
例えば、上りリンクの送信電力の初期化が決定されたときにTPC累積値保持部１０５で保持された累積値が正である場合、できるだけ早く伝搬状況に追従させるため、DCI format 0/3又はDCI format 1A/1B/1D/1/2A/2B/2/3において3dBのTPCコマンドが使用されてもよい。この場合、TPC制御初期化後補正区間算出部１０７は、TPC累積値保持部１０５で保持された値を3で除算することにより、TPCコマンドを送信する補正区間を算出してもよい。また、DCI format 3Aにおいて1dBのTPCコマンドが使用されてもよい。この場合、TPC制御初期化後補正区間算出部１０７は、TPC累積値保持部１０５で保持された値と同じサブフレームを、TPCコマンドを送信する補正区間としてもよい。例えば、上りリンクの送信電力の初期化が決定されたときにTPC累積値保持部１０５で保持された累積値が負である場合、DCI format 0/3、DCI format 1A/1B/1D/1/2A/2B/2/3又はDCI format 3Aにおいて-1dBのTPCコマンドが使用されてもよい。この場合、TPC制御初期化後補正区間算出部１０７は、TPC累積値保持部１０５で保持された値と同じサブフレームを、TPCコマンドを送信する補正区間としてもよい。更に、TPC制御初期化後補正区間算出部１０７は、このように算出された区間に任意の係数を掛けた値又は足した値を、TPCコマンドを送信する補正区間としてもよい。
【００３９】
確認部１０９は、現在のサブフレームがTPC制御初期化後補正区間算出部１０７で算出された補正区間内であるか否かを確認する。
【００４０】
振り分け部１１１は、TPCコマンドを決定する際に、TPC制御初期化後TPCコマンド算出部１１３を用いるか、TPCコマンド算出部１１７を用いるかを振り分ける。現在のサブフレームがTPC制御初期化後補正区間算出部１０７で算出された補正区間内である場合、振り分け部１１１は、移動局に連続して又は高頻度にTPCコマンドを送信するために、TPC制御初期化後TPCコマンド算出部１１３を用いる。現在のサブフレームがTPC制御初期化後補正区間算出部１０７で算出された補正区間内でない場合、振り分け部１１１は、通常のようにPUSCH又はPUCCHの受信品質に基づいてTPCコマンドを決定するために、TPCコマンド算出部１１７を用いる。
【００４１】
TPC制御初期化後TPCコマンド算出部１１３は、初期化後補正区間算出部１０７で算出された補正区間内においてTPCコマンドの値を算出する。TPC制御初期化後TPCコマンド算出部１１３は、TPCコマンド決定部１１５を有する。
【００４２】
TPCコマンド決定部１１５は、上りリンクの送信電力が初期化された場合、TPC累積値保持部１０５で保持された累積値に基づいてTPCコマンドを決定する。TPCコマンド決定部１１５は、TPC累積値保持部１０５で保持された累積値が正である場合、TPCコマンドの値として、送信電力を最大限増加させる値を決定してもよい。例えば、上記のように、TPCコマンド決定部１１５は、DCI format 0/3又はDCI format 1A/1B/1D/1/2A/2B/2/3において3dBのTPCコマンドを決定してもよく、DCI format 3Aにおいて1dBのTPCコマンドを決定してもよい。TPCコマンド決定部１１５は、TPC累積値保持部１０５で保持された累積値が負である場合、TPCコマンドの値として、送信電力を最大限減少させる値を決定してもよい。例えば、上記のように、TPCコマンド決定部１１５は、DCI format 0/3、DCI format 1A/1B/1D/1/2A/2B/2/3又はDCI format 3Aにおいて-1dBのTPCコマンドを決定してもよい。
【００４３】
TPCコマンド算出部１１７は、初期化後補正区間算出部１０７で算出された補正区間外においてTPCコマンドの値を算出する。TPCコマンド算出部１１７は、目標受信SIR算出部１１９と、受信SIR測定部１２１と、比較部１２３と、TPCコマンド決定部１２５とを有する。
【００４４】
目標受信SIR算出部１１９は、受信信号の誤り率等によって目標受信品質を算出する。目標受信品質は、Target SIR（Target Signal to Interference Ratio）とも呼ばれる。
【００４５】
受信SIR測定部１２１は、PUSCH又はPUCCHの受信品質を測定する。この受信品質は、受信SIRとも呼ばれ、干渉電力に対する信号電力によって求められる。
【００４６】
比較部１２３は、目標受信SIR算出部１１９で算出された目標受信品質と、受信SIR測定部１２１で測定された受信品質を比較する。
【００４７】
TPCコマンド決定部１２５は、比較部１２３での比較結果に基づいてTPCコマンドを決定する。例えば、目標受信SIR算出部１１９で算出された目標受信品質に対して受信SIR測定部１２１で測定された受信品質が低い場合、TPCコマンド決定部１２５は、送信電力を増加させるTPCコマンドを決定する。例えば、目標受信SIR算出部１１９で算出された目標受信品質に対して受信SIR測定部１２１で測定された受信品質が高い場合、TPCコマンド決定部１２５は、送信電力を減少させるTPCコマンドを決定する。
【００４８】
制御チャネル送信部１２７は、TPC制御初期化後TPCコマンド算出部１１３又はTPCコマンド算出部１１７で決定されたTPCコマンドを制御チャネルで移動局に送信する。TPCコマンドは、PDCCHの下りリンク制御情報（DCI：Downlink Control Information）を用いて送信される。特に、PUSCHのTPCコマンドは、上りリンクスケジューリンググラントで送信され、PUCCHのTPCコマンドは、下りリンクスケジューリング情報で送信される。
【００４９】
無通信区間監視部１２９は、下りリンクのデータ又は上りリンクのデータが送信されない無通信区間を監視する。例えば、無通信区間監視部１２９は、前回のPUSCH送信からの経過時間を監視してもよく、前回のPDCCH送信からの経過時間を監視してもよい。PUSCHの無通信区間が所定値以上である場合、制御チャネル送信部１２７は、移動局からの上りリンクのデータを送信させるための制御情報（上りリンクスケジューリンググラント）を送信する。PDCCHの無通信区間が所定値以上である場合、制御チャネル送信部１２７は、移動局からの制御情報を送信させるための制御情報（下りリンクスケジューリング情報）を送信する。
【００５０】
＜基地局の動作＞
図６に、本発明の実施例に係る送信電力制御方法のフローチャート（TPC制御初期化の場合）を示す。
【００５１】
TPC制御初期化決定部１０１は、基地局のリコンフィグレーション等のシーケンスにより、基地局から意図的にTPC制御初期化が指示されたかを検出する。或いは、TPC制御初期化決定部１０１は、移動局がランダムアクセスを開始することによりTPC制御初期化が発生したかを検出する（Ｓ１０１）。
【００５２】
TPC制御初期化が発生した場合（Ｓ１０１：ＹＥＳ）、TPC累積値保持部１０５は、移動局に送信したTPCコマンドの累積値を保持し、TPC制御初期化後補正区間算出部１０７は、TPC累積値保持部１０５で保持された累積値に基づいてTPCコマンドを送信する補正区間を算出する（Ｓ１０３）。例えば、TPC制御初期化後補正区間算出部１０７は、上記のように、TPC累積値保持部１０５で保持された累積値に応じて予め決められた区間を、TPCコマンドを送信する補正区間としてもよく、TPC累積値保持部１０５で保持された値をTPCコマンドの増減値で除算することにより、TPCコマンドを送信する補正区間を算出してもよい。次に、TPC制御初期化実施部１０３は、上りリンクの送信電力を予め設定された初期値に設定する（Ｓ１０５）。
【００５３】
確認部１０９は、現在のサブフレームがTPC制御初期化後補正区間算出部１０７で算出された補正区間内であるか否かを確認する（Ｓ１０７）。補正区間内である場合（Ｓ１０７：ＹＥＳ）、振り分け部１１１は、TPCコマンドを決定する際に、TPC制御初期化後TPCコマンド算出部１１３を用いる。
【００５４】
TPC制御初期化後TPCコマンド算出部１１３は、TPC累積値保持部１０５で保持された累積値が正である場合（Ｓ１０９：ＹＥＳ）、送信電力を増加させるTPCコマンドを決定する。TPCコマンドの値として、送信電力を最大限増加させる値を決定してもよい。制御チャネル送信部１２７は、決定されたTPCコマンドを移動局に送信する（Ｓ１１１）。
【００５５】
一方、TPC制御初期化後TPCコマンド算出部１１３は、TPC累積値保持部１０５で保持された累積値が負である場合（Ｓ１０９：ＮＯ）、送信電力を減少させるTPCコマンドを決定する。TPCコマンドの値として、送信電力を最大限減少させる値を決定してもよい。制御チャネル送信部１２７は、決定されたTPCコマンドを移動局に送信する（Ｓ１１３）。
【００５６】
補正区間内である限り、同様にして、連続して又は高頻度にTPCコマンドが移動局に送信され続ける。
【００５７】
なお、TPC制御初期化が発生しない場合（Ｓ１０１：ＮＯ）又は現在のサブフレームがTPC制御初期化後補正区間算出部１０７で算出された補正区間外である場合（Ｓ１０７：ＮＯ）、振り分け部１１１は、TPCコマンドを決定する際に、TPCコマンド算出部１１７を用いる。TPCコマンド算出部１１７は、目標受信品質と受信品質との比較に基づいて、TPCコマンドを決定し、制御チャネル送信部１２７は、決定されたTPCコマンドを移動局に送信する（Ｓ１１５）。
【００５８】
図７に、本発明の実施例に係る送信電力制御方法のフローチャート（無通信区間が所定値以上になった場合）を示す。
【００５９】
無通信区間監視部１２９は、下りリンクのデータ又は上りリンクのデータが送信されない無通信区間を監視する（Ｓ１５１）。無通信区間が所定値未満である場合（Ｓ１５３：ＮＯ）、無通信区間監視部１２９は、無通信区間の監視を続ける（Ｓ１５１）。
【００６０】
無通信区間が所定値以上になった場合（Ｓ１５３：ＹＥＳ）、制御チャネル送信部１２７は、上りリンクスケジューリンググラント又は下りリンクスケジューリング情報を送信する（Ｓ１５５）。上りリンクスケジューリンググラントの送信により、移動局は、TPCコマンドに従って送信電力を決定し、有効なデータが入っていないPUSCHを送信する。また、下りリンクスケジューリング情報の送信と共に、基地局は、有効なデータが入っていないPDSCHを送信し、移動局は、TPCコマンドに従ってACK/NACKをPUCCHで送信する。
【００６１】
基地局がPUSCH又はPUCCHを受信した場合、振り分け部１１１は、TPCコマンドを決定する際に、TPCコマンド算出部１１７を用いる。TPCコマンド算出部１１７は、受信品質を測定し（Ｓ１５７）、目標受信品質と受信品質との比較に基づいて、TPCコマンドを決定する。制御チャネル送信部１２７は、決定されたTPCコマンドを移動局に送信する（Ｓ１５９）。
【００６２】
＜変形例の基地局の構成＞
図４〜７を参照して説明した実施例では、上りリンクの送信電力が初期化された場合、TPCコマンドの送信の前にTPCコマンドを送信する補正区間が算出されるが、TPCコマンドの送信の前に補正区間を算出しない変形例について以下に説明する。
【００６３】
図８に、本発明の変形例に係る基地局のブロック図を示す。本発明の変形例に係る基地局は、TPC制御初期化決定部２０１と、TPC制御初期化実施部２０３と、TPC累積値保持部２０５と、演算部２０９と、振り分け部２１１と、TPC制御初期化後TPCコマンド算出部２１３と、TPCコマンド算出部２１７と、制御チャネル送信部２２７と、無通信区間監視部２２９とを有する。
【００６４】
TPC制御初期化決定部２０１、TPC制御初期化実施部２０３、TPC累積値保持部２０５、TPCコマンド算出部２１７、制御チャネル送信部２２７及び無通信区間監視部２２９は、図４のTPC制御初期化決定部１０１、TPC制御初期化実施部１０３、TPC累積値保持部１０５、TPCコマンド算出部１１７、制御チャネル送信部１２７及び無通信区間監視部１２９と同じであり、また、TPCコマンド算出部２１７に含まれる目標受信SIR算出部２１９、受信SIR測定部２２１、比較部２２３及びTPCコマンド決定部２２５は、図４の目標受信SIR算出部１１９、受信SIR測定部１２１、比較部１２３及びTPCコマンド決定部１２５と同じであるため、以下では、異なる機能部について説明する。
【００６５】
演算部２０９は、TPC累積値保持部２０５で保持された送信電力制御コマンドの累積値Aと、TPC制御初期化後のTPCコマンドの累積値Bとの差（A-B）を算出する。TPC制御初期化後のTPCコマンドの累積値は、以下に説明する通り、初期化後TPC累積値保持部２１６に保持されている。なお、演算部２０９は、TPC累積値保持部２０５で保持された送信電力制御コマンドの累積値Aに任意の係数を掛けた値又は足した値を用いてもよい。例えば、演算部２０９は、A-Bの算出の代わりに、(α×A+β)-Bを算出してもよい。以下では、演算部２０９がA-Bを算出することについて説明するが、(α×A+β)-Bを算出する場合も同様に適用可能である。
【００６６】
振り分け部２１１は、TPCコマンドを決定する際に、TPC制御初期化後TPCコマンド算出部２１３を用いるか、TPCコマンド算出部２１７を用いるかを振り分ける。演算部２０９で算出された差（A-B）が一度でも0になっていない場合、振り分け部２２１は、移動局に連続して又は高頻度にTPCコマンドを送信するために、TPC制御初期化後TPCコマンド算出部２１３を用いる。演算部２０９で算出された差（A-B）が一度でも0になった場合、振り分け部１１１は、通常のようにPUSCH又はPUCCHの受信品質に基づいてTPCコマンドを決定するために、TPCコマンド算出部２１７を用いる。
【００６７】
TPC制御初期化後TPCコマンド算出部２１３は、演算部２０９で算出された差（A-B）に基づいてTPCコマンドの値を算出する。TPC制御初期化後TPCコマンド算出部２１３は、TPCコマンド決定部２１５と、初期化後TPC累積値保持部２１６とを有する。
【００６８】
TPCコマンド決定部２１５は、演算部２０９で算出された差（A-B）に基づいてTPCコマンドを決定する。例えば、DCI format 0/3又はDCI format 1A/1B/1D/1/2A/2B/2/3が用いられるときに、TPCコマンド決定部２１５は、(A-B)≧3である場合、3dBのTPCコマンドを決定し、2≧(A-B)≧1である場合、1dBのTPCコマンドを決定し、(A-B)=0である場合、0dBのTPCコマンドを決定し（TPCコマンドを送信しないことを決定し）、(A-B)≦-1である場合、-1dBのTPCコマンドを決定する。例えば、DCI format 3Aが用いられるときに、TPCコマンド決定部２１５は、(A-B)≧1である場合、1dBのTPCコマンドを決定し、(A-B)≦-1である場合、-1dBのTPCコマンドを決定する。従って、TPCコマンド決定部２１５は、(A-B)=0となるまでTPCコマンドを決定する。
【００６９】
初期化後TPC累積値保持部２１６は、上りリンクの送信電力が初期化された後にTPCコマンド決定部２１５で決定されたTPCコマンドの累積値を保持する。
【００７０】
＜変形例の基地局の動作＞
図９に、本発明の変形例に係る送信電力制御方法のフローチャート（TPC制御初期化の場合）を示す。
【００７１】
TPC制御初期化決定部２０１は、基地局のリコンフィグレーション等のシーケンスにより、基地局から意図的にTPC制御初期化が指示されたかを検出する。或いは、TPC制御初期化決定部２０１は、移動局がランダムアクセスを開始することによりTPC制御初期化が発生したかを検出する（Ｓ２０１）。
【００７２】
TPC制御初期化が発生した場合（Ｓ２０１：ＹＥＳ）、TPC累積値保持部２０５は、移動局に送信したTPCコマンドの累積値を保持する（Ｓ２０３）。次に、TPC制御初期化実施部２０３は、上りリンクの送信電力を予め設定された初期値に設定する（Ｓ２０５）。
【００７３】
演算部２０９は、TPC累積値保持部２０５で保持された送信電力制御コマンドの累積値Aと、TPC制御初期化後のTPCコマンドの累積値Bとの差（A-B）を算出する（Ｓ２０７）。初期化直後は、TPCコマンドの累積値Bは0である。
【００７４】
演算部２０９で算出された差（A-B）が一度でも0になっていない場合（Ｓ２０７：ＮＯ）、振り分け部２１１は、移動局に連続して又は高頻度にTPCコマンドを送信するために、TPC制御初期化後TPCコマンド算出部２１３を用いる。
【００７５】
例えば、DCI format 0/3又はDCI format 1A/1B/1D/1/2A/2B/2/3が用いられるときに、(A-B)≧3である場合、TPC制御初期化後TPCコマンド算出部２１３は、3dBのTPCコマンドを決定し、2≧(A-B)≧1である場合、1dBのTPCコマンドを決定し、(A-B)=0である場合、0dBのTPCコマンドを決定し（TPCコマンドを送信しないことを決定し）、(A-B)≦-1である場合、-1dBのTPCコマンドを決定する。例えば、DCI format 3Aが用いられるときに、TPC制御初期化後TPCコマンド算出部２１３は、(A-B)≧1である場合、1dBのTPCコマンドを決定し、(A-B)≦-1である場合、-1dBのTPCコマンドを決定する。制御チャネル送信部２２７は、決定されたTPCコマンドを移動局に送信する（Ｓ２０９）。
【００７６】
(A-B)が0になるまで、同様にして、連続して又は高頻度にTPCコマンドが移動局に送信され続ける。
【００７７】
なお、TPC制御初期化が発生しない場合（Ｓ２０１：ＮＯ）又は演算部２０９で算出された差（A-B）が一度でも0になった場合（Ｓ２０７：ＮＯ）、振り分け部２１１は、TPCコマンドを決定する際に、TPCコマンド算出部２１７を用いる。TPCコマンド算出部２１７は、目標受信品質と受信品質との比較に基づいて、TPCコマンドを決定し、制御チャネル送信部２２７は、決定されたTPCコマンドを移動局に送信する（Ｓ２１１）。
【００７８】
この変形例において無通信区間が所定値以上になった場合の動作は、図７と同様に実施される。
【００７９】
説明の便宜上、本発明の実施例に係る移動局は機能的なブロック図を用いて説明しているが、本発明の実施例に係る移動局は、ハードウェア、ソフトウェア又はそれらの組み合わせで実現されてもよい。また、各機能部が必要に応じて組み合わせて使用されてもよい。
【００８０】
説明の便宜上、本発明の実施例に係る方法は処理の流れを示すシーケンス図を用いて説明しているが、本発明の方法は、実施例に示す順序と異なる順序で実施されてもよい。
【００８１】
＜実施例の効果＞
本発明の実施例によれば、移動局からの上りリンク送信データ又は移動局への下りリンク送信データが存在しない場合であっても、基地局が上りリンクの送信電力を制御し、通信品質を向上させることが可能になる。
【００８２】
上りリンクの送信電力が初期化された場合に、初期化直前のTPCコマンドの累積値に基づいて連続して又は高頻度にTPCコマンドを送信することで、伝搬環境の変動に迅速に追従することが可能になる。その結果、上りリンク通信品質を向上させること又は他の移動局への干渉電力を低減することが可能になる。
【００８３】
また、無通信区間が存在する場合に、上りリンク送信データ又は下りリンク送信データが存在しない場合であってもTPCコマンドを送信することで、伝搬環境の変動に迅速に追従することが可能になる。その結果、上りリンク通信品質を向上させること又は他の移動局への干渉電力を低減することが可能になる。
【００８４】
このように連続して又は高頻度にTPCコマンドを送信する補正区間内で、送信電力を最大限増加又は減少させるTPCコマンドを用いることにより、伝搬環境の変動への追従性がより迅速になる。
【００８５】
また、上記の変形例によれば、TPCコマンドの増減値が複数存在する場合に、きめ細かく送信電力を制御できる。
【００８６】
図１０に、LTE方式の移動通信システムにおける上りリンクの送信電力と本発明の実施例に係る移動局の上りリンクの送信電力との比較を示す。
【００８７】
LTE方式の移動通信システムでは、図３の（Ｂ）のように無通信区間が存在する場合、（Ｃ）に示すように、伝搬環境の変動に追従するまで時間がかかる。一方、本発明の実施例によれば、無通信区間が所定値以上になった場合にTPCコマンドが送信されるため、伝搬環境の変動に迅速に追従できる。
【００８８】
また、LTE方式の移動通信システムでは、図３の（Ｅ）又は（Ｉ）のように上りリンクの送信電力が初期化された場合、伝搬環境の変動に追従するまで時間がかかり、上りリンク通信品質の劣化又は他の移動局への過剰な干渉電力が生じる。一方、本発明の実施例によれば、初期化直前のTPCコマンドの累積値に基づいて連続して又は高頻度にTPCコマンドを送信することで、送信電力が初期化された場合であっても、伝搬環境の変動に迅速に追従できる。
【００８９】
以上、移動局からの上りリンク送信データ又は移動局への下りリンク送信データが存在しない場合に上りリンクの送信電力を制御するための基地局、送信電力制御方法について説明したが、本発明は、上記の実施例に限定されることなく、特許請求の範囲内において、種々の変更・応用が可能である。
【符号の説明】
【００９０】
１０１  TPC制御初期化決定部
１０３  TPC制御初期化実施部
１０５  TPC累積値保持部
１０７  TPC制御初期化後補正区間算出部
１０９  確認部
１１１  振り分け部
１１３  TPC制御初期化後TPCコマンド算出部
１１５  TPCコマンド決定部
１１７  TPCコマンド算出部
１１９  目標受信SIR算出部
１２１  受信SIR測定部
１２３  比較部
１２５  TPCコマンド決定部
１２７  制御チャネル送信部
１２９  無通信区間監視部
【図１】
2014049841.tif 000003
【図２】
2014049841.tif 000004
【図３】
2014049841.tif 000005
【図４】
2014049841.tif 000006
【図５】
2014049841.tif 000007
【図６】
2014049841.tif 000008
【図７】
2014049841.tif 000009
【図８】
2014049841.tif 000010
【図９】
2014049841.tif 000011
【図１０】
2014049841.tif 000012